(57)【要約】【課題】人によって様々に異なる顔面形状に容易に接することができる美容用のフェイスマスクを提供すること。【解決手段】本発明のフェイスマスクは、使用者の顔の全体を覆うように構成されており、使用者の顔面の凹状部分の底部領域に接する部分に非直線的な切れ込みを有し、かつ、使用者の顔面の凸状部分の頂点領域に接する部分に非直線的な切れ込みを有する。【選択図】  図１
2019088366.tif 000002
【特許請求の範囲】
【請求項１】
基材シートを成形した美容用のフェイスマスクであって、
前記フェイスマスクは、使用者の顔の全体を覆うように構成されており、
使用者の顔面の凹状部分の底部領域に接する部分に非直線的な切れ込みを有し、かつ、
前記使用者の顔面の凸状部分の頂点領域に接する部分に非直線的な切れ込みを有する、
フェイスマスク。
【請求項２】
基材シートを成形した美容用のフェイスマスクであって、
前記フェイスマスクは、使用者の顔の全体を覆うように構成されており、
前記使用者の鼻に接する鼻部を形成するための鼻部切れ込みと、
前記使用者の顔の正面から側面にわたる部分に接する曲面部を形成するための側方部切れ込みと、
を有し、
前記鼻部切れ込みは、前記フェイスマスクの側方から中心方向へ向かって斜め下方向へ切れ込む根本部切れ込みと、前記根本部分と連続し、前記中心方向から側方へ向かって斜め下方向へ切れ込む中心部切れ込みを有し、
前記側方部切れ込みは、前記フェイスマスクの外側から前記中心方向へ向かって切れ込む第一部分と、前記第一部分と連続し、前記第一部分とは異なる角度で斜め下方へ切れ込む第二部分とで構成されている、
フェイスマスク。
【請求項３】
前記鼻部切れ込みの前記本体部分の下端部である直線状切れ込みの両端部は、前記鼻部切れ込みが前記斜め下方向へ切れ込んだ終点よりも前記フェイスマスクの側方へ張り出している、請求項２に記載のフェイスマスク。
【請求項４】
前記側方部切れ込みの上方は前記使用者の額を覆う額対応部となっており、
前記側方部切れ込みの下方は前記使用者の顔面下方部を覆う顔面下方対応部となっており、
前記顔面下方対応部は、前記額対応部と前記顔面下方対応部の接点よりも前記フェイスマスクの側方へ張り出している、
請求項２に記載のフェイスマスク。
【請求項５】
前記使用者の顎に接する顎部を有し、
前記顎部は、
連続する複数の凸状部で構成されており、
前記使用者の顎に接したときに、複数の前記凸状部が一体として、前記使用者の顎と接するように構成されている、
請求項２に記載のフェイスマスク。  
【請求項６】
前記使用者の顎に接する顎部を有する、
請求項２に記載のフェイスマスク。
【請求項７】
前記鼻部切れ込みの前記中心部切れ込みは、前記根本部切れ込みの途中部分に始点を有する、請求項２に記載のフェイスマスク。
【請求項８】
前記側方部切れ込みは曲線状である、請求項２に記載のフェイスマスク。
【請求項９】
前記使用者の瞼を覆う瞼部を有し、
前記瞼部の下方部が前記フェイスマスク本体と連続し、
前記瞼部の上方部が円弧状の切れ込みであり、
前記円弧上の切れ込みには、放射状に複数の切れ込みが連続して形成されており、
前記瞼部は、閉鎖部としても折り畳み部としても使用可能に構成されている、
請求項２に記載のフェイスマスク。
【請求項１０】
前記使用者の口に対応する口部開口を有し、
前記口部開口の両端部から、前記フェイスマスクの側方へ向かって切れ込む端部切れ込みと、を有する請求項２に記載のフェイスマスク。
【請求項１１】
前記使用者の口に対応する部分に、両端部が略上方へ曲折した直線状の切れ込みが形成されている、
請求項２に記載のフェイスマスク。
【請求項１２】
前記使用者の瞼に接する部分、前記使用者の口周辺に接する部分、前記使用者の顔面周辺領域（フェイスライン）に接する部分のうち、少なくとも一つの部分の表面側に、美容効果を増進する美容増進物質を含む顔料または染料で模様が印刷されている、請求項２に記載のフェイスマスク。
【発明の詳細な説明】
【技術分野】
【０００１】
本発明は美容用のフェイスマスクに関する。
【背景技術】
【０００２】
従来、化粧用ローション等の化粧用組成物を含浸させた基材シートで形成されている顔用のフェイスマスクが、美容に使用されてきた（例えば、特許文献１）。
【先行技術文献】
【特許文献】
【０００３】
【特許文献１】特開平９−３１３２４８号公報
【発明の概要】
【発明が解決しようとする課題】
【０００４】
顔全体を覆うフェイスマスクは、使用者の顔に装着したときに、使用者の顔から浮くことなく、顔全体に接するのが望ましい。この点、従来のフェイスマスクは、切れ込みを入れることによって、平面形状のシートで形成されたフェイスマスクが、可能な限り、顔に接するように工夫されてきたが、人によって様々に異なる顔面形状に容易に接するには至っていない。
【０００５】
本発明は、上記を踏まえて、人によって様々に異なる形状の顔面に容易に密着することができるフェイスマスクを提供するものである。
【課題を解決するための手段】
【０００６】
第一の発明は、基材シートを成形した美容用のフェイスマスクであって、前記フェイスマスクは、使用者の顔の全体を覆うように構成されており、使用者の顔面の凹状部分の底部領域に接する部分に非直線的な切れ込みを有し、かつ、前記使用者の顔面の凸状部分の頂点領域に接する部分に非直線的な切れ込みを有する、フェイスマスクである。
【０００７】
人間の顔面には凹凸がある。本発明の発明者は、顔面の凹状部分の底部領域と凸状部分の頂点領域が、他の部分に比べて一層３次元的な形状の度合いが大きい（凹凸が大きい）ことに着目した。そして、フェイスマスクにおいて、顔面の凹状部分の底部領域と凸状部分の頂点領域に接するフェイスマスクの部分に形状変形の自由度が大きい構成を備えることによって、使用者の顔面に従来よりも容易に密着することを見いだした。そのための構成が、上記に示す非直線的な切れ込みである。直線的な切れ込みは変形する方向が１方向であるのに対して、非直線的な切れ込みは少なくとも２方向を有するから、変形する方向が複数である。これにより、人によって様々に異なる形状の顔面に容易に密着することができる。
【０００８】
第二の発明は、基材シートを成形した美容用のフェイスマスクであって、前記フェイスマスクは、使用者の顔の全体を覆うように構成されており、前記使用者の鼻に接する鼻部を形成するための鼻部切れ込みと、前記使用者の顔の正面から側面にわたる部分に接する曲面部を形成するための側方部切れ込みと、を有し、前記鼻部切れ込みは、前記フェイスマスクの側方から中心方向へ向かって斜め下方向へ切れ込む根本部切れ込みと、前記根本部分と連続し、前記中心方向から側方へ向かって斜め下方向へ切れ込む中心部切れ込みを有し、前記側方部切れ込みは、前記フェイスマスクの外側から前記中心方向へ向かって切れ込む第一部分と、前記第一部分と連続し、前記第一部分とは異なる角度で斜め下方へ切れ込む第二部分とで構成されている、フェイスマスクである。
【０００９】
第二の発明の構成によれば、鼻部切れ込みにおいて、根本部分は中心方向へ向かうのに対して、本体部分は側方側へ向かう。このため、根本部分と本体部分の境界は、根本部分及び本体部分のいずれと比べても細いから、使用者の鼻の形状に従って容易に変形する。また、鼻部切れ込みが非直線的に構成されているから、２方向への変形が容易である。さらに、側方部切れ込みにおいて、第一部分は中心方向へ向かうのに対して、第二部分は斜め下方へ向かう。このため、第一部分は使用者の顔の上下方向（額から口へ向かう方向と平行な方向）のふくらみに容易に追従させることができ、第二部分は顔の略左右方向（両目を結ぶ方向と平行な方向）のふくらみに容易に追従させることができる。これにより、人によって様々に異なる顔面形状に容易に密着することができる。
【００１０】
第三の発明は、第二の発明の構成において、前記鼻部切れ込みの前記本体部分の下端部である直線状切れ込みの両端部は、前記鼻部切れ込みが前記斜め下方向へ切れ込んだ終点よりも前記フェイスマスクの側方へ張り出している、フェイスマスクである。
【００１１】
第三の発明の構成によれば、下端部切れ込みの左右両端部近傍は、使用者の鼻の周辺のふくらみに追従し易い。
【００１２】
第四の発明は、第二の発明の構成において、前記側方部切れ込みの上方は前記使用者の額を覆う額対応部となっており、前記側方部切れ込みの下方は前記使用者の顔面下方部を覆う顔面下方対応部となっており、前記顔面下方対応部は、前記額対応部と前記顔面下方対応部の接点よりも前記フェイスマスクの側方へ張り出している、フェイスマスクである。
【００１３】
第四の発明の構成によれば、顔面下方対応部の左右の端部を把持して、容易に額対応部に重ね合わせることにより、フェイスマスクを使用者の顔面のふくらみに追従させることが容易である。
【００１４】
第五の発明は第二の発明の構成において、前記使用者の顎に接する顎部を有し、前記顎部は、連続する複数の凸状部で構成されており、前記使用者の顎に接したときに、複数の前記凸状部が一体として、前記使用者の顎と接するように構成されている、フェイスマスクである。
【００１５】
第五の発明の構成によれば、複数の凸状部が使用者の顎において一体となるから、フェイスマスクにおいて重複する部分が少ない状態で、顎をケアすることができる。
【００１６】
第六の発明は、第二の発明の構成において、前記使用者の顎に接する顎部を有する、フェイスマスクである。
【００１７】
第六の発明の構成によれば、使用者の顎もケアすることができる。
【００１８】
第七の発明は、第二の発明の構成において、前記鼻部切れ込みの前記中心部切れ込みは、前記根本部切れ込みの途中部分に始点を有する、フェイスマスクである。
【００１９】
第七の発明の構成によれば、根本部分における左右の領域は、使用者の鼻の形状に追従し易い。
【００２０】
第八の発明は、第二の発明の構成において、前記側方部切れ込みは曲線状である、フェイスマスクである。
【００２１】
第八の発明の構成によれば、側方部切れ込みの方向は曲線的であるから、より柔軟に使用者の顔のふくらみに追従させることができる。
【００２２】
第九の発明は、第二の発明の構成において、前記使用者の瞼を覆う瞼部を有し、前記瞼部の下方部が前記フェイスマスク本体と連続し、前記瞼部の上方部が円弧状の切れ込みであり、前記円弧上の切れ込みには、放射状に複数の切れ込みが連続して形成されており、前記瞼部は、閉鎖部としても折り畳み部としても使用可能に構成されている、フェイスマスクである。
【００２３】
第九の発明の構成によれば、瞼部は、閉鎖部として使用者の瞼をケアすることもできるし、折り畳み部として瞼の下方部をケアすることもできる。
【００２４】
第十の発明は、第二の発明の構成において、前記使用者の口に対応する口部開口を有し、前記口部開口の両端部から、前記フェイスマスクの側方へ向かって切れ込む端部切れ込みと、を有するフェイスマスクである。
【００２５】
第十の発明の構成によれば、端部切れ込みによって、口の形状により追従することができ、また、使用者が会話等のために口を閉じたり空いたりしても追従することができる。
【００２６】
第十一の発明は、第二の発明の構成において、前記使用者の口に対応する部分に、両端部が略上方へ曲折した直線状の切れ込みが形成されている、フェイスマスクである。
【００２７】
第十一の発明の構成によれば、使用者の唇を含めてケアすることができ、口周辺部の両端部は略上方へ曲折しているから、使用者の顔面への装着の前において、笑っているようなイメージの表情であり、使用者をリラックスさせることができる。
【００２８】
第十二の発明は、第二の発明の構成において、前記使用者の瞼に接する部分、前記使用者の口周辺に接する部分、前記使用者の顔面周辺領域（フェイスライン）に接する部分のうち、少なくとも一つの部分の表面側に、美容効果を増進する美容増進物質を含む顔料または染料で印刷されている、フェイスマスクである。
【００２９】
第十二の発明の構成によれば、使用者の顔の少なくとも一部について、他の部分よりも効果的にケアすることができる。
【発明の効果】
【００３０】
本発明にかかるフェイスマスクによれば、人によって様々に異なる形状の顔面に容易に密着することができる。
【図面の簡単な説明】
【００３１】
【図１】本発明の一実施形態にかかるフェイスマスクの概略平面図である。
【図２】フェイスマスクの概略側面図である。
【図３】フェイスマスクの使用者の顔を示す概略図である。
【図４】フェイスマスクの使用者の顔を示す概略図である。
【図５】フェイスマスクが使用者の顔面に装着された状態を示す概略図である。
【図６】フェイスマスクが使用者の顔面に装着された状態を示す概略図である。
【図７】フェイスマスクが使用者の顔面に装着された状態を示す概略図である。
【図８】鼻部分を示す概略拡大図である。
【図９】フェイスマスクの使用状態における鼻部分を示す概略拡大図である。
【図１０】フェイスマスクが使用者の顔面に装着された状態の鼻部分を側面から視た概略図である。
【図１１】フェイスマスクが使用者の顔面に装着された状態の鼻部分を側面から視た概略図である。
【図１２】鼻部分を示す概略拡大図である。
【図１３】口部分を示す概略拡大図である。
【図１４】フェイスマスクが使用者の顔面に装着された状態の顎部分を下から視た概略図である。
【図１５】フェイスマスクが使用者の顔面に装着された状態の左端部近傍を示す概略図である。
【図１６】従来のフェイスマスクが使用者の顔面に装着された状態の左端部近傍を示す概略図である。
【図１７】本発明の一実施形態にかかるフェイスマスクの概略平面図である。
【図１８】フェイスマスクが使用者の顔面に装着された状態を示す概略図である。
【図１９】本発明の一実施形態にかかるフェイスマスクの概略平面図である。
【図２０】フェイスマスクが使用者の顔面に装着された状態を示す概略図である。
【図２１】フェイスマスクが使用者の顔面に装着された状態の顎及び首部分を下から視た概略図である。
【図２２】本発明の一実施形態にかかるフェイスマスクの概略平面図である。
【図２３】鼻部分を示す概略拡大図である。
【図２４】フェイスマスクが使用者の顔面に装着された状態を示す概略図である。
【図２５】本発明の一実施形態にかかるフェイスマスクの概略平面図である。
【図２６】本発明の一実施形態にかかるフェイスマスクの概略平面図である。
【図２７】本発明の一実施形態にかかるフェイスマスクの概略平面図である。
【発明を実施するための形態】
【００３２】
＜第一の実施形態＞
以下、図面に基づき本発明の好適な実施形態を説明する。なお、当業者が適宜実施できる構成については説明を省略し、本発明の基本的な構成についてのみ説明する。
【００３３】
図１に示すように、フェイスマスク１Ａは、基材シート２で構成されている。基材シート２は、例えば、不織布で形成されている。不織布の材質は、例えば、キュプラ、レーヨン、ポリエチレン、ボリビニルアルコール等である。基材シート２には、化粧用組成物が含侵されている。化粧用組成物の主成分は水分であり、さらに、以下の美容成分のうち少なくとも一つを含む。美容成分は、例えば、ヒトオリゴペプチド−１、ヒトオリゴペプチド−１３、アセチルヘキサペプチド−８、パルミトイルペンタペプチド−４、水溶性コラーゲン、加水分解コラーゲン、サクシノイルアテロコラーゲン、リン酸アスコルビルＭｇ、サッカロミセス（黒砂糖、プラセンタエキス）発酵液、ヒアルロン酸Ｎａ、アセチルヒアルロン酸Ｎａ、ヒアルロン酸クロスポリマーＮａ、セレブロシド、アルブチン、アスパラギン酸Ｍｇ、グリチルリチン酸２Ｋ、グルコン酸銅、グルコン酸亜鉛、プラセンタエキス、サイタイエキス、水溶性プロテオグリカン、白金、酒粕エキス、イワベンケイ根エキス、リンゴ果実培養細胞エキス、ビタミンＡ油、トコフェロール、サッカロミセスセレビシアエエキス、セレブロシド、ＰＣＡ−Ｎａ、ナットウガム、アボカド油、カニナバラ果実油、アンズ核油、ヒマワリ種子油、ジラウロイルグルタミン酸リシンＮａ、アミノカプロン酸、ベタインである。
【００３４】
図１において、紙面手前側が図２の表面１Ａａであり、紙面裏側が図２の裏面１Ａｂである。裏面１Ａｂが使用者の顔面に接する。フェイスマスク１Ａは、使用者の顔の全体を覆うように構成されている。
【００３５】
基材シート２には、瞼部４Ａ及び４Ｂ、鼻部６、口部開口８、顎部１４、側方部切れ込み１６Ａ及び１６Ｂ、及び、フェイスマスク１Ａの上下左右方向及び表裏を示すための突出部１８等が形成されている。本明細書において、突出部１８が形成されている方向を上側（上方）、顎部１４が形成されている方向を下側（下方）、鼻部６から視て側方部切れ込み１６Ａ及び１６Ｂへ向かう方向を外側（側方）、外側から鼻部６へ向かう方向を中心方向と呼ぶ。また、切れ込みまたは開口が形成されていない部分を基材シート２の「本体部」と呼ぶ。
【００３６】
人間の顔面は３次元形状であり、凹凸がある。そして、凹凸の状態は顔面の部分によって異なる。本発明の発明者は、顔面の凹状部分の底部領域と凸状部分の頂点領域が、他の部分に比べて一層３次元的な形状であり、凹凸が大きいことに着目した。例えば、図３に示すように、使用者２００Ａの顔面において、頬骨近傍領域２１２が凸状部分の頂点領域の一例であり、目２０２Ａの下方であり鼻２０４Ａの付根である付根近傍領域２２０が凹条部分の底部領域の一例であり、また、小鼻２２２と口２０６の間の領域である小鼻下方領域２２４も凹条部分の底部領域の一例である。フェイスマスク１Ａは、使用者２００Ａの顔面の凹状部分の底部領域に接する部分に非直線的な切れ込みを有し、かつ、顔面の凸状部分の頂点近傍に接する部分に非直線的な切れ込みが形成されている。これにより、人によって様々に異なる形状の顔面に容易に密着することを可能にしている。
【００３７】
一般的に、フェイスマスクには、化粧用組成物が含侵されているので、使用者の顔面に貼りつく。フェイスマスクを装着する際には、まず、額、眼及び鼻などに接するように配置し、その後、頬や口、顎など、顔の形状に合わせて、装着していく。フェイスマスクは、平均的な人間の顔面よりも大きく作られている。平面形状のフェイスマスクを立体的な顔の形状に合せると、フェイスマスクにしわやたるみの部分が生じ、その部分からフェイスマスクが顔面から剥がれたり、顔面から浮くことがある。剥がれや浮きの問題に対応するために、フェイスマスクの装着を微調整する必要がある。フェイスマスクの微調整を行うには、貼りついたフェイスマスクを顔の上を滑らせるようにずらしていく、もしくは、フェイスマスクの一部分を把持して外し、ずらすことが必要である。この点、フェイスマスク１Ａは、顔に装着する際に、効果的な切れ込みと形状で、しわやたるみの発生を防ぎながら、最初の配置後に調整がしやすく、効果的に装着することを可能にしている。
【００３８】
フェイスマスク１Ａの各構成について、以下に詳細に説明する。
＜瞼近傍の構成について＞
上述のように、基材シート２には、使用者の瞼を覆う瞼部４Ａ及び４Ｂが形成されている（図１参照）。瞼部４Ａは基材シート２と直線状の直線部４Ａａにおいて連続している。また、瞼部４Ａは略円弧状の瞼部切れ込み４Ａｂによって、使用時に基材シート２の本体部と乖離するようになっている。瞼部切れ込み４Ａｂと連続して、放射状に切れ込み４Ａｃ，４Ａｄ及び４Ａｅが形成されている。瞼部４Ａは、閉鎖部として使用者の瞼全体を覆うことができ（図５参照）、または、直線部４Ａａ近傍で折り畳んで、折り畳み部として使用される（図６及び図７参照）。使用者の目の大きさに合わせて、目の淵で折り畳み、使用者の下瞼の下方の部分を集中的にケアするように構成されている。
【００３９】
また、フェイスマスク１Ａを使用者の顔面に装着したときに、切れ込み４Ａｃ，４Ａｄ及び４Ａｅの両側縁部を重ね合わせる、または切れ込み４Ａｃ，４Ａｄ及び４Ａｅが開く角度を取って、使用者の目の形状に追従して変形することができる。切れ込み４Ａｃ，４Ａｄ及び４Ａｅは、使用者の目の周辺の盛り上がり（鼻骨と眉にあたる部分の凸状部分）から、目頭や瞼の目のくぼみといった凹状部分の底部へと、均一でない傾斜に追従して密着できる（図５、図６及び図７参照）。仮に、切れ込み４Ａｃ，４Ａｄ及び４Ａｅが存在しない場合は、鼻と眉にあたる凸状部分はフェイスマスクが接するであろうが、鼻と眉の凸状部分に囲まれる眼孔にあたる目頭や瞼部分の凹状部分は、フェイスマスクが浮いてしまい、使用者の目の周辺の形状に合わせて、接することはできない。切れ込み４Ａｃ，４Ａｄ及び４Ａｅによって、切れ込み４Ａｃ，４Ａｄ及び４Ａｅ近傍が独立して、目周辺の凹凸に、より追従しやすくなる。
【００４０】
上述のように、瞼部４Ａを閉じた状態で、閉鎖部として装着し、使用者の瞼全体を化粧用組成物によってケアすることができる（図５参照）。瞼部４Ｂの構成は、瞼部４Ａと同様であるから、説明を省略する。
【００４１】
＜鼻近傍の構成について＞
基材シート２には、使用者の鼻に接する鼻部６を形成するための鼻部切れ込み１０２が形成されている。図８に示すように、鼻部６は根本部６ａ、中心部６ｂ及び先端部６ｃから構成される。鼻部切れ込み１０２は、使用者２００Ａ等の顔面における凹状形状の底部近傍に接する領域において、非直線的に構成されている。
【００４２】
すなわち、鼻部切れ込み１０２は、フェイスマスク１Ａの外側の方向から中心方向（鼻部６の中心軸Ｚ１方向）へ向かって斜め下方向へ切れ込む根本部切れ込み１０２Ａａ及び１０２Ｂａ、根本部切れ込み１０２Ａａ及び１０２Ｂａとそれぞれ連続し、中心方向から側方へ向かって斜め下方向へ切れ込む中心部切れ込み１０２Ａｂ及び１０２Ｂｂ、中心部切れ込み１０２Ａｂ及び１０２Ｂｂとそれぞれ連続し、外側の方向から中心方向へ曲線を描きつつ斜め下方向へ切れ込む先端部切れ込み１０２Ａｃ及び１０２Ｂｃ、及び、先端部切れ込み１０２Ａｃ及び１０２Ｂｃと連続する直線状切れ込み１０２ｄで構成される。直線状切れ込み１０２ｄの両端部は、先端部切れ込み１０２Ａｃの下端と先端部切れ込み１０２Ｂｃの下端を結ぶ線分の両側において、側方に張り出している。側方に張り出している部分を張り出し部と呼ぶ。
【００４３】
上述の構成により、鼻部切れ込み１０２の部分Ｓ１Ａ，Ｓ１Ｂ，Ｓ２Ａ及びＳ２Ｂは、非直線的に形成されている。部分Ｓ１Ａは付根近傍領域２２０（図３参照）に接する部分であり、部分Ｓ２Ａは小鼻下方領域２２４（図３参照）に接する部分である。
【００４４】
図８及び図９に示すように、鼻部６の上述の構成によって、フェイスマスク１Ａの本体部分との境界である仮想線Ｌ１、根本部６ａと中心部６ｂの境界である仮想線Ｌ２、中心部６ｂと先端部６ｃとの境界である仮想線Ｌ３が形成される。また、根本部切れ込み１０２Ａａと本体部切れ込み１０２Ａｂの交点Ｐ１Ａから直線状切れ込み１０２ｄへ向かう仮想線Ｌ４Ａ、根本部切れ込み１０２Ｂａと本体部切れ込み１０２Ｂｂの交点Ｐ１Ｂから直線状切れ込み１０２ｄへ向かう仮想線Ｌ４Ｂが形成される。仮想線Ｌ４Ａ及びＬ４Ｂは、使用者の鼻の形状に応じて、例えば、矢印Ｘ１及びＸ２に示すように中心軸Ｚ１に対する傾斜角度が変わる。
【００４５】
フェイスマスク１Ａが使用者の顔に装着され、鼻部６が使用者の鼻に接すると、図９に示すように、鼻部６は仮想線Ｌ１において基材シート２の本体部とつながった状態で紙面手前側に盛り上がる。このとき、仮想線Ｌ４Ａから外側の外側部分６Ａｂは、使用者の鼻の形状に応じた形状で、紙面裏側方向へ折れ曲がる。同様に、仮想線Ｌ４Ｂから外側の外側部分６Ｂｂは、使用者の鼻の形状に応じた形状で、紙面裏側方向へ折れ曲がる。
【００４６】
人の顔面形状は様々である。人の鼻に着目すると、例えば、図３に示す使用者２００Ａの鼻２０４Ａの高さｈ１は、図４に示す使用者２００Ｂの鼻２０４Ｂの高さｈ２よりも高い。図６に示すように、フェイスマスク１Ａが使用者２００Ａの顔に装着されると、鼻部６は、使用者２００Ａの鼻２０４Ａの形状に追従して変形し、鼻２０４Ａに密着する。仮想線Ｌ１，Ｌ２，Ｌ３，Ｌ４Ａ及びＬ４Ｂ（図８及び図９参照）によって、鼻部６は容易に鼻２０４Ａの形状に追従して変形する。同様に、図７に示すように、フェイスマスク１Ａが使用者２００Ｂの顔に装着されると、鼻部６は、使用者２００Ｂの鼻２０４Ｂの形状に追従して変形し、鼻２０４Ｂに密着する。
【００４７】
図１０及び図１１は、それぞれ、使用者２００Ａの鼻２０４Ａ及び使用者２００Ｂの２０４Ｂを側面方向から視た概略図である。鼻には様々な形状があるが、仮想線Ｌ１，Ｌ２，Ｌ３，Ｌ４Ａ及びＬ４Ｂ（図８及び図９参照）によって、鼻部６は容易に鼻の形状に追従して変形する。例えば、図１０に示すように、高さｈ１の比較的高い鼻２０４Ａについて、仮想線Ｌ１等によって、鼻２０４Ａの形状に容易に追従して鼻部６は変形する。図１１に示すように、高さｈ２の比較的低い鼻２０４Ｂについて、仮想線Ｌ１等によって、鼻２０４Ｂの形状に容易に追従して鼻部６は変形する。
【００４８】
また、１０及び図１１に示すように、仮想線Ｌ２において、根本部切れ込み１０２Ａａ（１０２Ｂａ）を有することで、より変形しやすくなり、本体部からの自由度が増すので、フェイスマスク１Ａを装着して鼻部６が盛り上がる時に、鼻２０４Ａに容易に追従しやすい。
【００４９】
図９に示すように、直線状切れ込み１０２ｄの張り出し部によって、フェイスマスク１Ａの本体に鼻周辺部６Ａｄ及び６Ｂｄが形成され、フェイスマスク１Ａが使用者の顔に装着されたときに、使用者の鼻（小鼻）の周辺部分の曲面で凹凸のある形状に追従して、鼻周辺部６Ａｄ及び６Ｂｄがフェイスマスク１Ａの本体部分とは独立して変形する。これにより、小鼻下方領域２２４（図３参照）にフェイスマスク１Ａが使用者の顔面から浮くことなく密着し、使用者の小鼻の周辺部分を化粧用組成物によってケアすることができる。
【００５０】
根本部切れ込み１０２Ａａ（図８及び図９参照）が接する顔の部分は、目の付根近傍領域２２０（図３参照）である。根本部切れ込み１０２Ａａは、鼻部６側の側縁部１０２Ａａｕ、本体側の側縁部１０２Ａａｓで構成される。フェイスマスク１Ａを装着する際、凸状部分の鼻２０４Ａ及び頬骨２１２ａの盛り上がりに、平面形状のフェイスマスク１Ａが、それぞれの盛り上がりに引っ張られる形で密着する。このとき、根本部切れ込み１０２Ａａの鼻部６側の側縁部１０２Ａａｕ及び本体側の側縁部１０２Ａａｓが存在することによって、付根近傍領域２２０の凹凸形状に追従して密着する。
【００５１】
使用者は、１０２Ａａｓ（図１２（ａ）参照）を把持して、根本部切れ込み１０２Ａａの端点１０２Ａａｃを中心に回動するように中心方向へ向かって斜め上方にずり上げ、図１２（ｂ）に示すように、側縁部１０２Ａａｕに重ねるようにずらす（以下、「重ね合わせ」という。）。これにより、本体部と鼻部６の間にできる隙間を縮小し、しわやたるみなく、フェイスマスク１Ａを顔面に密着させることができる。根本部切れ込み１０２Ａａ（１０２Ｂａ）と中心部切れ込み１０２Ａｂ（１０２Ｂｂ）が直線的に連続しているのではなく、所定の角度θ１を有していることによって、上述の重ね合わせを効果的に実施することができる。所定の角度θ１は、例えば、９０度以上１３０度以下である。仮に、根本部切れ込み１０２Ａａ（１０２Ｂａ）と中心部切れ込み１０２Ａｂ（１０２Ｂｂ）が直線を形成している場合には、使用者は、直線部分を把持して中心方向（図８のＺ１方向）に平行にずらす必要があるから操作が困難であり、かつ、中心部切れ込み１０２Ａｂ（１０２Ｂｂ）から側方部分全体にずらす力が加わり、側方部分も中心方向にずれてくるので、フェイスマスクに皺が生じやすく、ずらした後に、再度側方部分を整えて微調整する必要がでてくるのであり、側方部分の再調整の影響により、鼻部近傍も再調整する必要が出てくる。
【００５２】
＜口の構成について＞
基材シート２には、使用者の口の部分に対応する口部開口８が形成されている（図１参照）。口部開口８の両端には、側方へ向かう端部切れ込み８ａ及び８ｂが形成されている。端部切れ込み８ａ及び８ｂによって、人によって異なる口の形状に追従しやすい。図１３に示すように、端部切れ込み８ａ及び８ｂの切れ込み上側８ａｕ及び８ｂｕに、切れ込み下側８ａｓ及び８ｂｓを重ねるようにフェイスマスク１Ａを下方から上方へずり上げると、口部開口８を使用者の口の形状に合わせて小さくでき、より唇の際までフェイスマスク１Ａを密着させることができる。すなわち、端部切れ込み８ａ及び８ｂは、口部開口８の大きさの調整手段として機能する。また、端部切れ込み８ａ及び８ｂがあることで、口部開口８の変形の自由度が増すため、フェイスマスク１Ａの着用中に口を動かしても、フェイスマスク１Ａが密着した状態を維持できる。
【００５３】
＜顎の部分の構成について＞
基材シート２には、使用者の顎の部分に接する凸状の顎部１４が形成されている（図１参照）。顎部１４は、連続する凸状部１４ａ，１４ｂ，１４ｃ及び１４ｄで構成されている。図１４は、フェイスマスク１Ａが使用者２００Ａに装着された状態（図６参照）を下方から視た図である。顎部１４は、使用者２００Ａの顎に沿って、折り曲げられるように装着される。その際、凸状部１４ａ等は下顎に向かって寄せられて、一体となるように、使用者２００Ａの顎２３０と密着する。凸状部１４ａ等により、フェイスマスク１Ａを装着した時に、顎の周辺で基材シート２が余ってだぶつき、そこから浮き上がることなく、フェイスマスク１Ａを密着させることができる。
【００５４】
＜側方の構成について＞
基材シート２には、側方部切れ込み１６Ａ及び１６Ｂが形成されている（図１参照）。
側方部切れ込み１６Ａは、非直線的に形成されている。すなわち、側方部切れ込み１６Ａは、フェイスマスク１Ａの外側から中心方向へ向かって切れ込む第一部分１６Ａ１と、第一部分１６Ａ１と連続し、第一部分１６Ａ１とは異なる角度で斜め下方へ切れ込む第二部分１６Ａ２で構成される。第一部分１６Ａ１は、フェイスマスク１Ａの外側から中心方向へ向かって直線状に延びている。第二部分１６Ａ２は、中心方向へ向かって、斜め下方へ伸びている。側方部切れ込み１６Ｂは、側方部切れ込み１６Ａと鼻部６の中心軸Ｚ１（図８参照）に対して線対称に形成されている。側方部切れ込み１６Ａ及び１６Ｂが非直線的に形成されていることによって、フェイスマスク１Ａが使用者の顔に装着されたときに、フェイスマスク１Ａを、頬骨１２１ａを頂点とした周辺領域の盛り上がりとそれに続く部分の形状に追従する曲面部を形成することができる（図６参照）。
【００５５】
側方部切れ込み１６Ａの上方は使用者の額を覆う額対応部１０Ａとなっており、側方部切れ込み１６Ａの下方は使用者の顔面下方部を覆う顔面下方対応部１２Ａとなっている。顔面下方対応部１２Ａは、額対応部１０Ａとの接点よりもフェイスマスク１Ａの側方へ張り出している。同様に、側方部切れ込み１６Ｂの上方は使用者の額を覆う額対応部１０Ｂとなっており、側方部切れ込み１６Ｂの下方は使用者の顔面下方部を覆う顔面下方対応部１２Ｂとなっている。顔面下方対応部１２Ｂは、額対応部１０Ｂとの接点よりもフェイスマスク１Ａの側方へ張り出している。額対応部１０Ａ及び１０Ｂは、フェイスマスク１Ａが使用者の顔面に装着されたときに、顔面の側方部の生え際の髪の毛に接しない大きさ及び形状に形成されている。
【００５６】
図１５は、フェイスマスク１Ａの側方部切れ込み１６Ａの近傍部を示す概略図である。フェイスマスク１Ａを装着するとき、顔面下方対応部１２Ａの上端近傍部１６Ａｄ１を把持して、額対応部１０Ａの下端近傍部１６Ａｕ１の上に重複するようにして、フェイスマスク１Ａを顔面の形状に適合するように調整する。ここで、図１に示す上端近傍部１２Ａａは、顔面下方対応部１２Ａと額対応部１０Ａとの接点よりも側方に突出しているから、把持が容易であり、持ち上げやすく、快適に上記調整を行うことができる。額対応部１０Ａの下端近傍部１０Ａａの上に重複するようにして、フェイスマスク１Ａを顔面の形状に適合するように調整したときに、図６及び図７に示すように、使用者２００Ａ及び２００Ｂの顔のフェイスライン（頬から顎にかけての線）に沿った形状になり、かつ、側方生え際２１０に接しないように、額対応部１０Ａ及び顔面下方対応部１２Ａの形状は形成されている。側方生え際２１０に接することがないから、フェイスマスク１Ａが側方部の生え際に接して顔面から浮くことや、側方部の生え際に接する部分からはがれてくることなく、効果的に化粧用組成物による美容を施すことができる。額対応部１０Ｂと顔面下方対応部１２Ｂについても同様である。
【００５７】
図１６は、従来のフェイスマスク３００の側方部切れ込み３０２Ａの近傍部を示す概略図であり、本発明の実施形態ではない。図１６に示す従来例のフェイスマスク３００においては、側方部切れ込み３０２Ａが単純な直線状である。端点Ｐｙ１を中心に顔面下方対応部３１２Ａを回動させて額対応部３１０Ａと重複させようとすると、端点Ｐｙ２とＰｙ１を結ぶ直線上から下方部分全体のフェイスマスクを上方に引きずりあげる必要があり、大きく引きずりあげる力が加わる。その引きずり上げる力が、端点Ｐｙ１を越えて、中心方向の領域Ｑ１にも伝わる結果、領域Ｑ１も斜め上方に引っ張られ、領域Ｑ１に皺ができる。さらに、顔面下方対応部３１２Ａを引きずりあげる力が、顔面の凹凸が多く比較的密着度の低い口部開口や鼻の下に接している部分に伝わると、それらの部分も領域Ｑ１方向に引っ張られ、領域Ｑ１の皺を修正するとともに、ずれた口部開口や鼻の下部分を所定の位置に戻して修正する作業も必要となることがある。顔面下方対応部３１２Ａを把持して、小さい力で端点Ｐｙ１を中心に少しずつ持ち上げたとしても、はやり端点Ｐｙ１に小山のような皺ができてしまう。
【００５８】
これに対して、フェイスマスク１Ａにおいては、図１５に示すように、側方部切れ込み１６Ａは、第一部分１６Ａ１と第二部分１６Ａ２を有するから（図１参照）、額対応部１０Ａと顔面下方対応部１２Ａとを重ねるとき、端点Ｐｘ１を中心として回動させることができる。フェイスマスク１Ａにおいては、側方部切れ込み１６Ａが、端点Ｐｘ１を中心として回動し、フェイスライン近傍領域１２Ａｂ（図６参照）が中心方向に向かって斜め上方に向かって引きずりあげられる力が、第二部分１６Ａ２によって断ち切られ、中心方向に及ぶことはない。すなわち、フェイスライン近傍領域１２Ａｂの動きが中心方向の部分に影響を及ぼすことはないから、中心方向の部分に皺が生じることはない。
【００５９】
また、側方部切れ込み１６Ａが、第一部分１６Ａ１と第二部分１６Ａ２を有することにより、図１５に示すように、領域Ｓ１と領域Ｓ２において、額対応部１０Ａと顔面下方対応部１２Ａとが重複する角度が異なる。領域Ｓ１においては、額対応部１０Ａ側の第一部分１６Ａｕ１に対して、顔面下方対応部１２Ａ側の第一部分１６Ａｄ１は、水平方向（時計の短針の方向で言うと９時の方向）の角度から上方へ立ち上がるように位置を変えながら重複する。他方、領域Ｓ２においては、額対応部１０Ａ側の第二部分１６Ａｕ２に対して、顔面下方対応部１２Ａ側の第二部分１６Ａｄ２は、中心方向へ向かって斜め下方の角度から上方へ立ち上がるように位置を変えながら重複する。
【００６０】
人の顔の凹凸は一方の方向へ向かう凹凸ではなく、複数方向へ向かう凹凸であるから、額対応部１０Ａと顔面下方対応部１２Ａとが重複する角度が異なるように構成することで、フェイスマスク１Ａは、より容易に使用者の顔の形状に追従して変形する。このとき、側方部切れ込み１６Ａは、端点Ｐｘ１を中心として回動するから、第一部分１６Ａ１と第二部分１６Ａ２との交点Ｐｘ２は、フェイスマスク１Ａの中心方向へ移動する。すなわち、第一部分１６Ａ１は、中心方向へ移動しつつ、回動する。このため、顔面下方対応部１２の第一部分１６Ａｄ１の外側の端点Ｐｘ３は、図１６に示す従来例よりもフェイスマスク１Ａの中心方向へ移動する。これにより、従来例に比べ、平面形状のフェイスマスク１Ａに、より丸みを構成することができる。上述の回動によって、顔面下方対応部１２Ａと額対応部１０Ａは、使用者の側方部生え際に接することなく、フェイスラインに沿った形状として一体となるように、構成されている。これに対して、図１６の従来例のフェイスマスク３００のように、側方部切れ込み３０２Ａが単純な直線状であると、額対応部３１０Ａと顔面下方対応部３１２Ａとが重複する角度が一様であるから、実際の人の顔の凹凸に容易に追従することができず、顔面に密着できない箇所ができ、そこから浮いてくることになる。また、側方部切れ込み３０２Ａｄは、端点Ｐｙ１を中心に単純に回動しようとするだけであるから、使用者の側方部生え際に接しないという効果は十分ではない。
【００６１】
＜第二の実施形態＞
図１７及び図１８を参照して、第二の実施形態を説明する。第一の実施形態と共通する事項は説明を省略する。
【００６２】
図１７に示すように、フェイスマスク１Ｂにおいて、使用者の口に対応する部分に、両端部が略上方へ曲折した直線状の口部切れ込み３０が形成されている。口部切れ込み３０は、直線部３０ｃと、直線部３０ｃの両端に形成された曲折部３０ａ及び３０ｂから形成されている。曲折部３０ａ及び３０ｂは、略上方へ曲折している。口部が切れ込みになっていることで、鼻の下や口の両側のほうれい線の出る領域に隙間を作らず、フェイスマスク１Ｂが使用者の顔面に密着する。
【００６３】
図１８に示すように、フェイスマスク１Ｂが使用者２００Ａの顔面に装着されると、口部切れ込み３０の上方の部分３２が使用者２００Ａの上唇を、下方の部分３４が使用者２００Ａの下唇を覆って、上下の唇も化粧用組成物によってケアすることができる。また、曲折部３０ｂによって、使用者２００Ａの唇の両端の側方の部分を笑っているような表情を形成する態様において覆う。また、口部切れ込み３０の両端が曲折部３０ａ及び３０ｂになっていることで、直線のみの切れ込みであるよりも、より上唇の形に追従して密着するとともに、フェイスマスク１Ｂの装着中に、一層無理なく、口を開けたり、口を動かしたりすることができる。
【００６４】
＜第三の実施形態＞
図１９乃至図２１を参照して、第三の実施形態を説明する。第一の実施形態と共通する事項は説明を省略する。
【００６５】
図１９に示すように、フェイスマスク１Ｃの側方部切れ込み１６Ａ及び１６Ｂは曲線状である。第一部分１６Ａａは、フェイスマスク１Ｃの外側から中心方向へ向かって、斜めやや上方へ向かう曲線である。第二部分１６Ａｂは、フェイスマスク１Ｃの中心方向へ向かって、斜めやや下方へ向かう曲線である。側方部切れ込み１６Ｂは、中心軸Ｚ１（図３参照）に対して、側方部切れ込み１６Ａと線対称に形成されている。
【００６６】
フェイスマスク１Ｃは、使用者の顎に接する顎部１４を有する。顎部１４は、使用者２００Ａの顎に接している。顎部１４は、基板シート２において、下方へ大きく突出している。顎部１４は、切れ込み２０Ａ及び２０Ｂによって基板シート２の本体部と画されており、使用者の顎の形状に容易に追従するようになっている。
【００６７】
図２０に示すように、フェイスマスク１Ｃが使用者２００Ａの顔に装着されると、曲線状の側方部切れ込み１６Ａ及び１６Ｂによって、使用者２００Ａまたは２００Ｂの顔の形状に容易に追従する。また、図２０及び図２１に示すように、顎部１４は使用者２００Ａまたは２００Ｂの顎２３０に接するが、首２４０には接しない。
【００６８】
＜第四の実施形態＞
図２２乃至図２４を参照して、第四の実施形態を説明する。第三の実施形態と共通する事項は説明を省略する。
【００６９】
図２２及び図２４に示すように、フェイスマスク１Ｄの中心部切れ込み１０２Ａｂは、根本部切れ込み１０２Ａａの途中部分に始点を有する。また、中心部切れ込み１０２Ｂｂは、根本部切れ込み１０２Ｂａの途中部分に始点を有する。
【００７０】
図２４に示すように、フェイスマスク１Ｄが使用者２００Ａの顔に装着されると、鼻部６の側部６ａは、仮想線Ｌ４Ａにおいて容易に折れ曲がり、使用者２００Ａの鼻の形状に容易に追従する。
【００７１】
＜第五の実施形態＞
図２５乃至図２７を参照して、第五の実施形態を説明する。第一の実施形態と共通する事項は説明を省略する。
【００７２】
フェイスマスク１Ａには、使用者の瞼に接する部分５０Ａ及び５０Ｂ（図２５参照）、使用者の口周辺に接する部分５２Ａ及び５２Ｂ（図２６参照）、使用者の顔面周辺領域（フェイスライン）に接する部分５４Ａ及び５４Ｂ（図２７参照）のうち、少なくとも一つの部分の表面側に、美容効果を増進する美容増進物質を含む顔料で模様が印刷されている。美容増進物質は、血流促進やリラックス効果を有する物質であり、例えば、ガーネット末である。模様が印刷される部分は、使用者の顔において、特に美容が必要とされる部分である。図２５乃至図２７の部分に限定されず、こめかみ筋、くまや皺が気になる目元、ほうれい線が生じやすい部分、皺が気になる口元、たるみが気になる頬部、額などに模様を印刷してもよい。なお、本実施形態とは異なり、美容効果を増進する美容増進物質を含む染料で模様を印刷してもよい。
【００７３】
なお、本発明のフェイスマスクは、上記実施形態に限らず、本発明の要旨を逸脱しない範囲内において種々変更を加えることができる。
【符号の説明】
【００７４】
１Ａ，１Ｂ，１Ｃ，１Ｄ    フェイスマスク
２    基材シート
４Ａ，４Ｂ  瞼部
６  鼻部
８  口部開口
１０Ａ，１０Ｂ  額対応部
１２Ａ，１２Ｂ  顔面下方対応部
１４  顎部
１６Ａ，１６Ｂ  側方部切れ込み
１８  突出部
【図１】
2019088366.tif 000003
【図２】
2019088366.tif 000004
【図３】
2019088366.tif 000005
【図４】
2019088366.tif 000006
【図５】
2019088366.tif 000007
【図６】
2019088366.tif 000008
【図７】
2019088366.tif 000009
【図８】
2019088366.tif 000010
【図９】
2019088366.tif 000011
【図１０】
2019088366.tif 000012
【図１１】
2019088366.tif 000013
【図１２】
2019088366.tif 000014
【図１３】
2019088366.tif 000015
【図１４】
2019088366.tif 000016
【図１５】
2019088366.tif 000017
【図１６】
2019088366.tif 000018
【図１７】
2019088366.tif 000019
【図１８】
2019088366.tif 000020
【図１９】
2019088366.tif 000021
【図２０】
2019088366.tif 000022
【図２１】
2019088366.tif 000023
【図２２】
2019088366.tif 000024
【図２３】
2019088366.tif 000025
【図２４】
2019088366.tif 000026
【図２５】
2019088366.tif 000027
【図２６】
2019088366.tif 000028
【図２７】
2019088366.tif 000029
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
基材シートを成形した美容用のフェイスマスクであって、
前記フェイスマスクは、使用者の顔の全体を覆うように構成されており、
前記使用者の鼻に接する鼻部を形成するための鼻部切れ込みと、
前記使用者の顔の正面から側面にわたる部分に接する曲面部を形成するための側方部切れ込みと、
を有し、
前記鼻部切れ込みは、前記フェイスマスクの側方から中心方向へ向かって斜め下方向へ切れ込む根本部切れ込みと、前記根本部切れ込みと９０度以上１３０度以下において規定される所定の角度において連続し、前記中心方向から側方へ向かって斜め下方向へ切れ込む中心部切れ込みを有し、
前記側方部切れ込みは、前記フェイスマスクの外側から前記中心方向へ向かって切れ込む第一部分と、前記第一部分と連続し、前記第一部分とは異なる角度で斜め下方へ切れ込む第二部分とで構成されている、
フェイスマスク。
【請求項２】
前記鼻部切れ込みの先端部切れ込みと連続する直線状切れ込みの両端部は、前記先端部切れ込みが斜め下方向へ切れ込んだ終点よりも前記フェイスマスクの側方へ張り出している、請求項１に記載のフェイスマスク。
【請求項３】
前記側方部切れ込みの上方は前記使用者の額を覆う額対応部となっており、
前記側方部切れ込みの下方は前記使用者の顔面下方部を覆う顔面下方対応部となっており、
前記顔面下方対応部は、前記額対応部と前記顔面下方対応部の接点よりも前記フェイスマスクの側方へ張り出している、
請求項１に記載のフェイスマスク。
【請求項４】
前記使用者の顎に接する顎部を有し、
前記顎部は、
連続する複数の凸状部で構成されており、
前記使用者の顎に接したときに、複数の前記凸状部が一体として、前記使用者の顎と接するように構成されている、
請求項１に記載のフェイスマスク。  
【請求項５】
前記使用者の顎に接する顎部を有する、
請求項１に記載のフェイスマスク。
【請求項６】
前記鼻部切れ込みの前記中心部切れ込みは、前記根本部切れ込みの途中部分に始点を有する、請求項１に記載のフェイスマスク。
【請求項７】
前記側方部切れ込みは曲線状である、請求項１に記載のフェイスマスク。
【請求項８】
前記使用者の瞼を覆う瞼部を有し、
前記瞼部の下方部が前記フェイスマスク本体と連続し、
前記瞼部の上方部が円弧状の切れ込みであり、
前記円弧上の切れ込みには、放射状に複数の切れ込みが連続して形成されており、
前記瞼部は、閉鎖部としても折り畳み部としても使用可能に構成されている、
請求項１に記載のフェイスマスク。
【請求項９】
前記使用者の口に対応する口部開口を有し、
前記口部開口の両端部から、前記フェイスマスクの側方へ向かって切れ込む端部切れ込みと、を有する請求項１に記載のフェイスマスク。
【請求項１０】
前記使用者の口に対応する部分に、両端部が略上方へ曲折した直線状の切れ込みが形成されている、
請求項１に記載のフェイスマスク。
【請求項１１】
前記使用者の瞼に接する部分、前記使用者の口周辺に接する部分、前記使用者の顔面周辺領域（フェイスライン）に接する部分のうち、少なくとも一つの部分の表面側に、美容効果を増進する美容増進物質を含む顔料または染料で模様が印刷されている、請求項１に記載のフェイスマスク。
【手続補正２】
【補正対象書類名】明細書
【補正対象項目名】００４４
【補正方法】変更
【補正の内容】
【００４４】
図８及び図９に示すように、鼻部６の上述の構成によって、フェイスマスク１Ａの本体部分との境界である仮想線Ｌ１、根本部６ａと中心部６ｂの境界である仮想線Ｌ２、中心部６ｂと先端部６ｃとの境界である仮想線Ｌ３が形成される。また、根本部切れ込み１０２Ａａと中心部切れ込み１０２Ａｂの交点Ｐ１Ａから直線状切れ込み１０２ｄへ向かう仮想線Ｌ４Ａ、根本部切れ込み１０２Ｂａと中心部切れ込み１０２Ｂｂの交点Ｐ１Ｂから直線状切れ込み１０２ｄへ向かう仮想線Ｌ４Ｂが形成される。仮想線Ｌ４Ａ及びＬ４Ｂは、使用者の鼻の形状に応じて、例えば、矢印Ｘ１及びＸ２に示すように中心軸Ｚ１に対する傾斜角度が変わる。